(57)【要約】      （修正有）【課題】マイクロ波アンテナを冷却する装置および方法、並びにマイクロ波ハブを提供する。【解決手段】冷却システムおよびハブ１０は、さまざまな種類のマイクロ波アンテナとともに使用することができる。マイクロ波ハブは、マイクロ波アンテナに冷却液を提供するように使用される。ハブは、異なる部分のチャンバを定位置に保持するために、のりまたは接着剤無しに構築される。Ｏリング８２は、ハブ内の流体密封シールとして高まった信頼性および整合性を提供する。ハブのさまざまな部品は、ぴったりと合う形態であり、Ｏリングとともに機能する。【選択図】図１
2011104373.tif 000002
【特許請求の範囲】
【請求項１】
近位端、遠位端、入力ポート、および出力ポートを備えるハブと、
中心孔を有する第１挿入部と、
中心孔および端部部分を有する第２挿入部と、
互いに対してそれぞれ同心円状に配向された第１ルーメン経路および第２ルーメン経路であって、前記ルーメン経路の第１経路が前記第１挿入部の前記中心孔に接続され、前記ルーメン経路の第２経路が前記第２挿入部の前記中心孔に接続される前記第１ルーメン経路および前記第２ルーメン経路と、
プローブに機能的に接続されるハンドルとを備え、
ここで、前記第１挿入部が前記ハブの前記近位端の中に挿入され、前記ハブの前記近位端が前記第１挿入部を受入れるように適合され、前記第２挿入部が前記ハブの前記遠位端の中に挿入され、前記ハブが前記第２挿入部を受入れるように適合され、前記同心円のルーメン経路が前記第２挿入部の前記中心孔を通って、かつ前記ハブの前記遠位端を通って伸長し、前記ハンドルが前記第１挿入部と境を接しながら係合して前記ハブの前記近位端の中に挿入される、マイクロ波アセンブリ。
【請求項２】
前記ハブが内面をさらに備え、前記ハブは、
前記内面に接触して密封を作り出す前記第１挿入部の周囲とぴったりと合うように適合された第１Ｏリングと、
前記内面に接触して密封を作り出す前記ハンドルの周囲とぴったりと合うように適合された第２Ｏリングと、
前記内面に接触して密封を作り出す前記第２挿入部の周囲とぴったりと合うように適合された第３Ｏリングと、
をさらに備える、請求項１のマイクロ波アセンブリ。
【請求項３】
前記第１Ｏリングと前記第２Ｏリングとの間には第１チャンバがあり、前記第１Ｏリングと前記第３Ｏリングとの間には第２チャンバがあり、ここで前記第１チャンバが前記入力ポートと流体連結し、前記第２チャンバが前記出力ポートと流体連結する、請求項２のマイクロ波アセンブリ。
【請求項４】
前記第２挿入部が前記ハブの前記遠位端に取り付けられる、請求項１のマイクロ波アセンブリ。
【請求項５】
前記ハブが前記内面内に止め部を備え、前記第１挿入部が前記止め部と境を接する、請求項１のマイクロ波アセンブリ。
【請求項６】
前記ハブが前記内面内に止め部を備え、前記第１挿入部が前記止め部と境を接し、前記内面が、前記ハブの前記近位端から前記中心点に向かって所定の位置まで円周的に小さくなって、前記止め部の前で円周的に小さくなることを中断し、前記内面が、前記ハブの前記遠位端から中心点に向かって所定の位置まで円周的に小さくなって、円周的に小さくなることを中断する、請求項１のマイクロ波アセンブリ。
【請求項７】
前記ハブが前記内面内に止め部を備え、前記第１挿入部が前記止め部と境を接し、前記内面が、前記ハブの前記近位端から前記中心点に向かって所定の位置まで円周的に小さくなって、前記止め部の前で円周的に小さくなることを中断し、前記内面が、前記ハブの前記遠位端から前記中心点に向かって所定の位置まで円周的に小さくなって、円周的に小さくなることを中断し、かつ前記ハブが、前記ハブの前記中心から外側に伸長して前記ハンドルが前記ハブの前記近位端の中に不正確に挿入できないように係合するよう適合された延長部をさらに備える、請求項１のマイクロ波アセンブリ。
【請求項８】
本体、第１ポート、第２ポート、外面、内面、および止め部を備えるハブと、
ハンドルおよびプローブアセンブリと、
本体部分、複数の脚、前記本体の一部分を囲むように適合されたＯリング、前記本体を通る孔、および流入する流体に回転作用を促すように適合された凹形の流体誘導部を備える第１挿入部と、
本体部分、前記本体の一部分を囲むように適合されたＯリング、前記本体を通る孔、およびアニュラ・リングを備える第２挿入部と、
前記ルーメン経路の一方が前記第１挿入部内の孔に接続される、互いに対して同心円状に配置された内側ルーメン経路および外側ルーメン経路とを備え、
ここで、前記第１挿入部が、前記止め部と境を接する前記ハブ、および前記内面に接触して密封する前記第１挿入部内の前記Ｏリングの内側に位置付けられ、前記第２挿入部が前記ハブの前記遠位端の中に挿入され、かつ前記ハブの前記遠位端に成形され、前記ハンドルおよびプローブアセンブリが前記プローブアセンブリが前記同心円のルーメン経路を通過し、かつ前記同心円のルーメン経路が前記第２層入部内の前記孔を通過するように、前記ハブの前記近位端の中に挿入される、マイクロ波アセンブリ。
【請求項９】
第１チャンバが前記第１挿入部内の前記Ｏリングと前記ハンドル内の前記Ｏリングとの間に画定され、第２チャンバが前記第１挿入部内の前記Ｏリングと前記第２挿入部内の前記Ｏリングとの間に画定され、前記第１チャンバが前記第１ポートおよび前記同心円のルーメン経路の一方と流体連結し、前記第２チャンバが前記第２ポートおよび前記同心円のルーメン経路の一方と流体連結する、請求項８のマイクロ波アセンブリ。
【請求項１０】
第１チャンバが前記第１挿入部内の前記Ｏリングと前記ハンドル内の前記Ｏリングとの間に画定され、第２チャンバが前記第１挿入部内の前記Ｏリングと前記第２挿入部内の前記Ｏリングとの間に画定され、前記第１チャンバが前記第１ポートおよび前記同心円のルーメン経路の一方と流体連結し、前記第２チャンバが前記第２ポートおよび前記同心円のルーメン経路の一方と連流体連結し、前記内面が、前記近位端から前記円周が小さくなることを中断する前記止め部の前の所定の位置まで円周的に小さくなり、前記内面が、前記遠位端から前記円周が小さくなることを中断する、所定の位置まで円周的に小さくなる、請求項８のマイクロ波アセンブリ。
【発明の詳細な説明】
【技術分野】
【０００１】
本発明は、概ね、熱灼の分野に関する。より詳細には、本発明は、電気外科手術用のプローブまたはマイクロ波アンテナを冷却する装置、システム、および方法に関する。より詳細には、本発明は、電気外科手術具およびマイクロ波アンテナを組み立てる方法に関する。
【背景技術】
【０００２】
外科処置の過程において、医師には、身体組織を熱灼するために電気外科手術用の器具を使用することがよく必要とされる。身体組織を熱灼するために、高周波数のプローブまたはアンテナがよく使用される。使用の際、組織内に挿入されるとき、プローブまたはアンテナは、身体組織を加熱する高周波用の電力源に接続される。そのような装置の欠点として、プローブまたはアンテナが過熱することにより、身体組織を損傷させるか、または器具を傷める可能性がある。冷却システムは、器具、時には器具と境を接する組織に冷却を提供するため、器具と併せて使用されることがあり、そうして器具および組織に最適な熱特性を提供することができる。熱が器具から消散されない場合は、組織が炭化するか、または器具に故障が生じかねない。
【０００３】
器具用の冷却システムを提供する外科手術用システムがある。既存のシステムは、器具に冷却液の流れを提供することにより、器具、および可能性として標的組織に隣接または境を接する組織を冷却する。これらのシステムは一般的にメカニズムを採用し、それにより冷却液がチャンバを通ってハブの中に流れる。流体はルーメン経路の中を通って器具の下方の先端に流れ、器具の軸に沿って冷却液を提供する。流体はハブ内の別のチャンバに戻り、流体用脱出チャネルを通って抜け出る。
【０００４】
チャンバ、ルーメン経路、ハブ、およびハブの密封は、圧迫下においてその完全な状態を維持するために、接着剤またはのりを必要とする方法で構築される。使用の間、ハブの内部には圧力が生み出され、密封位置、チャンバ内、および接続点には圧迫が生じる。しかし、接着剤またはのりは分解するかもしれず、信頼できない。接着剤は、圧迫または加熱条件下において機能を果たさなくなるだけでなく、製造過程における接着剤の適用が、不整合であるしれない。こうした分解性および不整合性により、不具合が生じることがあり、冷却が不十分となるかもしれない。
【発明の概要】
【課題を解決するための手段】
【０００５】
本発明の一実施形態によれば、電気外科手術用のハブが提供される。ハブは、ハブの遠位端から伸長するプローブに冷却液を提供するように適合される。プローブは、身体組織を熱灼するために医師により使用される。
【０００６】
２つのチャンバおよび二重経路のルーメンは、プローブに冷却液を提供する。冷却液はハブの中に入り、第１チャンバからルーメン経路を通って導かれ、冷却のためプローブに流体を輸送する。挿入部は、第１チャンバの境界線を画定し、冷却液を回転させることにより気泡の存在を減少させる。挿入部は、第１チャンバと第２チャンバとの間に密封を形成するため、第１Ｏリングと順応するように適合される。プローブに接続されてプローブに電力を伝導するコネクタも、第１チャンバの裏側に密封を形成するため、第２Ｏリングと順応するように適合される。
【０００７】
冷却液は、第２ルーメン経路を通って戻り、第２チャンバに入る。プラグは、第２チャンバに第２密封を形成するため、第３Ｏリングと順応するように適合される。プラグは、ハブ内でプラグを中心に置き、高い圧迫条件下において第３Ｏリングを適所に維持するように使用されるアニュラ・リングを有する。
【０００８】
概して、本発明の装置は、のりまたは接着剤無しに構築されるツイン密封チャンバの熱灼用ハブを目的とする。システムにより、チャンバの密封における信頼性を改善させる構築方法を提案する。装置は配列を備え、それにより熱灼用プローブに熱点を生じさせるかもしれない気泡が、冷却液から実質的に取り除かれる。
【０００９】
しかるべく、製造後の整合性とともに圧迫条件下における信頼性を提供する電気外科手術用のハブが必要である。接着剤の分解性を克服するハブが必要である。整合した製造手順が可能なハブも必要である。
【図面の簡単な説明】
【００１０】
【図１】チャンバの別離を提供する挿入部を備えたハブ内のツインチャンバを示す、本発明の一実施形態の図である。
【図２】チャンバの別離を提供する挿入部を備えたハブ内のツインチャンバを示す、本発明の一実施形態の別の図である。
【図３】本発明の一実施形態の挿入部の図である。
【発明を実施するための形態】
【００１１】
本発明の一実施形態では、ツインチャンバのマイクロ波熱灼用のハブは、チャンバ間に密封をもたらす複数の挿入部およびＯリングを備える。第１チャンバは入力ポートに流体接続を提供し、第２チャンバは出口ポートに流体接続を提供する。二重経路のルーメンは、第１チャンバから第２チャンバに流体接続を提供する。第１チャンバおよび第２チャンバは、入力ポートおよび第１チャンバを通り、ルーメン内の第１経路を通って熱灼プローブの遠位端まで巡回する冷却液中の気泡の存在を最小限に抑えるように適合される。冷却液は、ルーメン内の第２経路を通って第２チャンバまで戻り、出口ポートを通ってハブを抜け出る。第１経路および第２経路は同心円である。
【００１２】
「プローブ」という用語は、本実施形態または表現に限定されない。当然ながら本発明の効果は、電極、アンテナ、または他の適した装置のような、身体へのエネルギーの局所化を促進させることを目的とした異なる種類の装置により最適化され得る。「プローブ」という用語は、身体内に挿入でき、熱灼または他の医療のためにエネルギー源を局所化させることができる任意の装置、メカニズムまたは構造を含めて使用される。
【００１３】
図１は、ハブ１０およびプローブ２０を示す本発明の一実施形態の図である。ハブ１０は、第１チャンバ３０、第２チャンバ４０、第１ルーメン経路５０、第２ルーメン経路６０、第１ポート７０、および第２ポート７２を備える。第１ポート７０は、第１チャンバ３０と流体的に連結する。第１チャンバ３０は、第１ルーメン経路５０と流体的に連結する。第１ルーメン経路５０は、プローブ２０の実体部分に沿って伸長する。第２ルーメン経路６０は、第１ルーメン経路５０の周囲で、第１ルーメン経路５０に沿って伸長し、第２チャンバ４０と流体的に連結する。
【００１４】
第１チャンバ３０および第２チャンバ４０は、ハブ１０の内部への挿入より画定される。第１挿入部８０は、ハブ１０の内部の一端にぴったりと合う。一実施形態では、第１チャンバ３０は、第１挿入部を介してハブ１０のハンドル端部に向かった側の一端にある。第１挿入部８０は、止め部８８に接触して位置付けられる。止め部８８は、第１挿入部８０のために、ハブの内壁９０に位置止めを提供する。止め部８８は、第１挿入部８０のために一層正確な位置付けを提供し、当て推量な配置を廃絶する。こうして、適切な挿入位置の物理的指標を提供することにより、挿入を容易に行うことができる。  
【００１５】
ハブ１０の内壁９０は、内壁９０がハブのハンドル端部から止め部８８に向かって、直径が小さくなるように変化を付けてよい。また、これは、挿入を容易に行うことができるとともに正確に配置することもできる。本発明の一実施形態では、内壁の変化付けは、止め部８８よりも手前で中断し、内壁９０が平面になった区域を作り出している。以下で論じるように、壁９０内にある平面区域は、第１チャンバ３０の一層信頼性がある密封をすることを可能にする。
【００１６】
Ｏリング８２は、第１挿入部８０の空間８３に位置付けられる。空間８３は、第１挿入部８０内にある溝または他の窪みであることが理解される。第１挿入部８０が適切な深さまでハブ１０の中に挿入されると、Ｏリング８２は内壁の平面部分と接触する。Ｏリング８２は、第１挿入部８０またはハブ１０の製造において、わずかな動きまたはわずかな不正確さがあっても、引き続き密封を提供する。平面領域により、わずかな動きがあってもＯリング８２が引き続き接触することができる。Ｏリング８２は、第１チャンバ３０のために防水用の密封を提供する。従って、どんな冷却液もチャンバ３０の周囲、および止め部８８を超えて流出しない。
【００１７】
第２チャンバ４０は、ハブ１０のプローブ端部に向かって、第１チャンバ３０の遠位に位置付けられる。先に言及したように、第１挿入部８０はハブ１０の中に、止め部８８まで挿入される。第２チャンバ４０の一端は、第１挿入部８０の裏側により形成される。第２チャンバ４０は、第１挿入部８０と反対側の第２挿入部９５により完成される。挿入部９５は、第１挿入部８０と反対側のハブ１０の遠位端の中に挿入される。一実施形態では、遠位端にあるハブ１０の内壁は、内壁がハブ１０の端部から内部に向かって直径が小さくなるように変化が付けられている。内壁の変化付けは、Ｏリング８４が在る位置で中断する。これにより、挿入部９５またはハブ１０の製造においてわずかな動きまたはわずかな不正確さがあっても、引き続き密封できる平面区域を作り出す。ハブ１０の内壁の変化付けにより、挿入部９５を容易に挿入できるとともに、正確に配置することができる。
【００１８】
挿入部９５は、停止メカニズムを提供するように適合された端部部分９６を備える。端部部分９６は、ハブ１０の端部と接触するように作用する。端部部分９６はハブ１０と境を接しており、正確な配置を提供する。Ｏリング８４は、第２挿入部９５がハブ１０の中に挿入されると、内壁９０と接触するように第２挿入部９５内に位置付けされる。Ｏリング８４は、第２挿入部９５の空間９８内に位置付けられる。Ｏリング８４は、第２チャンバ４０のために防水用の密封を提供する。従って、冷却液はチャンバ４０の周囲を、または第１チャンバ３０の中を流れない。第２挿入部９５は、ハンドル１００と反対側のハブ１０の端部にあるハブ１０に成形される。成形により、高圧条件下において封鎖および密封を維持する。
【００１９】
第２挿入部９５が挿入されると、ハブ内の中心位置は、そうでなければ生じ得るどんな漏洩も廃絶させるのに役立つことが望ましい。アニュラ・リング１２０は、ハブ１０の内部に、第２挿入部９５の中心位置およびＯリング８４を維持するために使用される。端部部分９６がハブ１０と境を接するように第２挿入部９５が挿入されると、アニュラ・リング１２０は内壁９０と接触し、第２挿入部９５は動くことができない。
【００２０】
第３Ｏリング８６は、ハンドル１００内に位置付けられる。第３Ｏリング８６は、チャンバ３０の裏側に流体密封を提供する。ハンドル１００は、挿入部９５の位置と反対側のハブ１０の端部の中に挿入される。一実施形態では、ハンドル１００はハブ１０に成形される。ハンドル１００は、挿入部８０と境を接するか、またはしっかりと境を接するように適合される。挿入部８０の位置は、高圧条件下において、ハンドル１００により維持される。
【００２１】
ハンドル１００はプローブ２０に接続される。ボックス１１０により、ハンドル１００は不適切に挿入されず、確実にマイクロ波ケーブル２０がハブ１０を通って適切に接続される。ボックス１１０は、ハンドル１００の挿入を上下させないようにハブから突出している。プローブ２０は、第１チャンバ３０および第２チャンバ４０、並びに第１挿入部８０および第２挿入部９５を通って突出している。
【００２２】
図２は、ハブ２１０、およびハンドル２９９の内部からハブ２１０の遠位端を通って外部に伸長するプローブ２２０を示す、本発明の一実施形態の透視図である。プローブ２２０は、ハンドル２９９の内部で電力源（不図示）に接続される。ハブ２１０は、第１チャンバ２３０、第２チャンバ２４０、第１ルーメン経路２５０、第２ルーメン経路２６０、並びに第１ポート２７０および第２ポート２７２を備える。一実施形態では、第１ポート２７０および第２ポート２７２は、ハブ２１０の軸と関連して角度付けられており、該軸と垂直ではない。ポート２７０およびポート２７２の角度は、ハブ２１０の近位端に向かって鋭角を形成する。ハンドル２９９は、ハブ２１０の近位端に密封を形成する。
【００２３】
挿入部２８０は、ハンドル２９９と挿入部２８０との間に第１チャンバ２３０を形成する。第２挿入部２９５は、第１挿入部２８０と第２挿入部２９５との間に第２チャンバ２４０を形成する。第１チャンバ２３０は、チャンバ２３０の遠位端にあるＯリング２８２、およびチャンバ２３０の近位端にあるＯリング２８６により密封される。第２チャンバ２４０は、Ｏリング２８２、および第２チャンバ２４０の遠位端にあるＯリング２８６により密封される。各Ｏリング２８２、２８４、および２８６は、第１挿入部２８０、第２挿入部２９５、およびハンドル２９９内でそれぞれＯリングを受入れるように形成された溝または他の構造内に在る。
【００２４】
第１ルーメン経路２６０は、冷却液が第１チャンバ２３０からプローブ２２０に沿って、プローブ２２０の遠位端まで巡回できるように流体通路を形成する。冷却液は、プローブ２２０の長さに沿って、かつ先端（不図示）まで冷却作用を提供する。第２ルーメン経路２５０は、冷却液の返却通路を提供し、第２チャンバ２４０と流体的に連結されている。冷却液は、第１ルーメン経路２６０と同心円状に、かつその外側を戻り、第２チャンバ２４０の中に入って空になる。
【００２５】
図１および図２に関して先に言及したように、第１挿入部(図１の８０および図２の２８０)は、第１チャンバ(図１の３０および図２の２３０)の境界線を画定し、冷却液を回転させることにより気泡の存在を減少させる。図３では、第１挿入部２８０の詳細図を提供する。先に言及したように、第１挿入部２８０は、第１チャンバ(図２の２３０)を作り出す。挿入部２８０は、密封部３１０を使用することにより、ハブ(図２の２１０)内にチャンバを作り出す。一実施形態では、密封部３１０は、溝部分３２０内、または挿入部の、他に形成された陥所内にぴったりと合うＯリングである。溝部分３２０は、Ｏリング３１０と順応するように適合される。
【００２６】
冷却流体は第１チャンバの中を流れ、挿入部２８０内部の空間を充填する。挿入部２８０にある形状３２５は凹形であり、冷却流体が第１チャンバに入るときに冷却液の回転を誘導する。冷却流体に誘導された渦作用より、冷却液が第１ルーメン経路を下方に動きながらプローブの周囲を動くことができる。渦作用は、プローブを過熱させ得る気泡の廃絶を支援する。
【００２７】
挿入部２８０は、複数の脚部３３０を備える。一実施形態では、４脚の脚部３３０は、挿入部２８０のために支持を提供する。脚部３３０は、ハブ(図３では不図示)が組み立てられると、ハンドル(図３では不図示)と境を接するメカニズムを提供する。脚部３３０は、ハブの内部にある止め部に接触して挿入部２８０を押し付けるために、ハンドルを押す。
【００２８】
本発明の動作に関し、図１の参照に戻る。冷却液は第１ポート７０の中に流れ、第１チャンバ３０を充填する。一実施形態では、第１チャンバ３０は、該チャンバが比較的迅速に流体で充填される大きさである。第１挿入部８０は、第１チャンバ３０に入る流体が輪状に回転するように形状化されている。流体の回転により、残りのどんな気泡もプローブ２０および第１チャンバ３０の壁から取り除かれる。気泡は、プローブ２０を過熱させ、装置を故障させることが当業者には公知されている。第１挿入部３０内のＯリング８２が、チャンバ３０を密封することにより、流体は第２チャンバ４０に入ることができない。当業者には、第１挿入部３０が密封を提供していることが理解される。Ｏリング８２は特上の密封レベルを提供し、圧力条件下において完全な状態を確保する。
【００２９】
ハンドル１０は、第１チャンバ３０の裏側に密封を作り出すためにＯリング８６を有する。当業者には、ハンドル１０が密封レベルを提供していることが理解される。Ｏリング８６は特上の密封レベルを提供し、圧力条件下において完全な状態を確保する。冷却流体はチャンバ３０から流出し、第１ルーメン経路５０を通って流れる。第１ルーメン経路５０は、プローブ２０に冷却効果を提供しながら、プローブ２０の近位端まで冷却流体を運搬する。冷却液は、第２ルーメン経路６０を通ってハブ１０に戻る。冷却液は第２チャンバ４０の中に入って第２ルーメン経路６０から空になる。第２チャンバは、第１挿入部８０内に位置付けられる一端にあるＯリング８２、および第２挿入部９５内に位置付けられるＯリング８４により密封される。当業者には、第２挿入部９５が密封レベルを提供していることが理解される。Ｏリング８４は特上の密封レベルを提供し、圧力条件下において完全な状態を確保する。
【００３０】
ハブ１０内における冷却流体の圧力が増すにつれ、圧力により、ハブ１０の内部の構成材に分離しようとする力が生じる。この圧力は、第１挿入部８０内のＯリング８２、および第２挿入部９５のＯリング８４の位置に圧力を加える。ハンドル１００の外側に位置付けられた外部形状（不図示）は、ハンドル１００を定位置に保持し、挿入部８０および挿入部９５、並びにＯリング８２およびＯリング８４の動きに耐える。
【００３１】
図２の参照に戻り、マイクロ波アセンブリは、ハブ２１０、第１挿入部２８０、第２挿入部２９５、およびハンドル２９９を用いて容易に製造される。第１挿入部２８０は、ハブ２１０の内側に形成された止め部２８８と境を接するまでハブ２１０の中に挿入される。第１挿入部内のＯリング２８２は、ハブ２１０の内壁に接触して密封を提供する。一実施形態では、ハブ２１０の壁は、ハブ２１０の中間に向かって外周が小さくなるように変化が付けられている。変化付けは、Ｏリング２８２の位置で密封できるように、壁が止め部２８８に近付くと水平になり、中断する。
【００３２】
内部ルーメン経路２６０は、第１挿入部２８０内の中心孔２９２に接続される。ルーメン経路２５０およびルーメン経路２６０は、ハブ２１０の端部を通って突出している。第２挿入部２９５は、ルーメン経路２５０およびルーメン経路２６０を覆って、ハブ２１０の遠位端の中に挿入される。Ｏリング２８６は、第２挿入部２９５の周囲の溝にぴったりと合い、ハブ２１０の内壁に接触して密封を形成する。一実施形態では、ハブ２１０の遠位端にある壁も、ハブ２１０の中間に向かって外周が小さくなるように変化が付けられている。変化付けは、Ｏリング２８６の位置と合致する所定の位置で水平になり、中断する。第２挿入部２９５は、高圧状況下において安定性を提供するように、ハブ２１０の遠位端に成形される。
【００３３】
ハンドル２９９およびプローブは、ハブ２１０の近位端の中に挿入される。プローブ２２０は、挿入部２８０および挿入部２９５内の中心孔を通過し、ルーメン経路２５０およびルーメン経路２６０を作り出し、実施させるのに役立つ。一実施形態では、ハンドル２９９およびプローブ２２０は、正常な電気接続を維持するように予め組み立てられている。リップ部分２９８は、ポート２７０およびポート２７２と反対側のハブ２１０の部分から伸長している。リップ部分２９８により、ハンドル２９９を一方向のみに挿入させることができ、ハンドル２９９の適切な挿入を確保する。ハンドル２９９の挿入は、適切な位置で挿入部２８０を維持するように、第１挿入部２８０に十分な圧力を提供する。ハブ２１０の内壁にある止め部２８８は、第１挿入部がハブ２１０のさらに内側に挿入されすぎることを防ぐ。そうしてハンドル２９９がハブ２１０に成形される。
【００３４】
先に説明した実施形態が、本開示の原理適用の例示にすぎないことが理解される。当業者により、多くの変更および別の配置が、本開示の精神および範囲から逸脱することなく考案され得る。添付の請求の範囲により、そのような変更および配置まで及ぶことを目的とする。
【図１】
2011104373.tif 000003
【図２】
2011104373.tif 000004
【図３】
2011104373.tif 000005
【外国語明細書】
2011104373000001.pdf